(57)【要約】【課題】本発明の課題は、活性種を生成して、室内への給気を浄化する脱臭ユニットにおいて、より効率よく脱臭することが可能な脱臭ユニットを提供することにある。【解決手段】脱臭ユニット１は、本体ケーシング１０と、活性種生成部３とを備える。本体ケーシング１０は、気体導入口１５ａと気体排出口１６ａとを有し、内部が略直方体形状であって、内部に気体導入口から気体排出口への気流がある。活性種生成部は、略直方体形状であって、臭気分子および有害ガス成分の少なくとも一つを分解または不活化する活性種を生成する。活性種生成部は、本体ケーシングの内部に収納され、その長手方向が気体導入口および気体排出口が形成される面に対して、傾斜させて配置される。【選択図】図２
2010137017.tif 000002
【特許請求の範囲】
【請求項１】
気体導入口（１５ａ）と気体排出口（１６ａ）とを有し、内部が略直方体形状であって、前記内部に前記気体導入口から気体排出口への気流がある、本体ケーシング（１０）と、
略直方体形状であって、臭気分子および有害ガス成分の少なくとも一つを分解または不活化する活性種を生成する活性種生成部（３）と、
を備え、
前記活性種生成部は、前記本体ケーシングの内部に収納され、その長手方向が前記気体導入口および前記気体排出口が形成される面に対して、傾斜させて配置される、
脱臭ユニット（１）。
【請求項２】
前記気体導入口と前記気体排出口とを結ぶ直線（Ｌ１）は、前記気体導入口または前記気体排出口が形成される面（１５，１６）に略垂直な面（１３，１４）に対して傾斜している、
請求項１に記載の脱臭ユニット（１）。
【請求項３】
前記直線が前記気体導入口または前記気体排出口が形成される面に略垂直な面に対して傾斜する回転方向（Ａ２）と、前記活性種生成部が前記気体導入口および前記気体排出口が形成される面に対して傾斜する回転方向（Ａ１）とは、同一である、
請求項２に記載の脱臭ユニット（１）。
【請求項４】
前記活性種生成部は、前記活性種を放電により生成する、
請求項１から３のいずれかに記載の脱臭ユニット（１）。
【請求項５】
前記臭気分子、塵、および埃の少なくとも１つを吸着可能な脱臭／集塵フィルタ（２）をさらに備える、
請求項１から４のいずれかに記載の脱臭ユニット（１）。
【請求項６】
前記脱臭／集塵フィルタは、前記活性種生成部の前記気流の流れ方向下流側に、前記気体排出口と略平行の向きに配置される、
請求項５に記載の脱臭ユニット（１）。
【請求項７】
前記本体ケーシングは、前記活性種生成部および前記脱臭／集塵フィルタを取り出すことができるメンテナンス開口（１３ａ）と、前記メンテナンス開口を塞ぐメンテナンスカバー（１３ｂ）とを有する、
請求項５または６に記載の脱臭ユニット（１）。
【請求項８】
前記活性種生成部に、電源を供給し、かつ、制御信号を送信する制御部を内部に有する電装品ケーシング（１８）をさらに備え、
前記電装品ケーシングは、前記本体ケーシングの前記メンテナンス開口と同じ側に配置される、
請求項７に記載の脱臭ユニット（１）。
【請求項９】
居室の天井裏に設置される脱臭システム（１００）であって、
請求項１から８のいずれかに記載の脱臭ユニット（１）と、
前記脱臭ユニットの前記気体導入口に接続され、前記脱臭ユニットに風を送風可能な給気ユニット（５）と、
前記天井に設けられ、前記脱臭ユニットと前記給気ユニットとをメンテナンス可能な天井点検口（６）と、
を備える、
脱臭システム（１００）。
【請求項１０】
前記給気ユニットは、送風ファン（８２）を有し、前記居室の空間を、前記脱臭ユニットを介して調湿可能な、調湿処理装置（５）である、
請求項９に記載の脱臭システム（１００）。
【請求項１１】
前記給気ユニットは、送風ファンと、前記居室の空間から排気する空気と前記居室の空間に取り込む外気とを熱交換させることができる熱交換部と、を有する全熱交換装置である、
請求項９に記載の脱臭システム。
【発明の詳細な説明】
【技術分野】
【０００１】
本発明は、活性種を生成して、臭気分子や有害ガス成分などを分解する活性種生成装置を有する脱臭ユニットに関する。
【背景技術】
【０００２】
従来、特許文献１の技術のように、ストリーマ放電などの放電を行うことによって、イオンまたはオゾンなどの活性種を生成して、通過する空気を殺菌、脱臭、有害物質除去などの浄化処理を行う装置がある。
【０００３】
そして、特許文献２の技術のように、空気清浄機単体に特許文献１の技術を利用しているものがある。
【特許文献１】特開２００４−３５０８９０号公報
【特許文献２】特開２００８−３６４６６号公報
【発明の開示】
【発明が解決しようとする課題】
【０００４】
室内の空気を浄化する手段として、特許文献２のように室内に空気清浄機を導入するだけでなく、例えば、ダクトに特許文献１の装置をビルトインで設置することにより、室内に導入される空気を浄化することも考えられる。しかしながら、ダクトから室内への給気に対する浄化処理に関しては、なんら提案されていない。
【０００５】
本発明の課題は、活性種を生成して、室内への給気を浄化する脱臭ユニットにおいて、より効率よく脱臭することが可能な脱臭ユニットを提供することにある。
【課題を解決するための手段】
【０００６】
第１発明に係る脱臭ユニットは、本体ケーシングと、活性種生成部とを備える。本体ケーシングは、気体導入口と気体排出口とを有し、内部が略直方体形状であって、内部に気体導入口から気体排出口への気流がある。活性種生成部は、略直方体形状であって、臭気分子および有害ガス成分の少なくとも一つを分解または不活化する活性種を生成する。活性種生成部は、本体ケーシングの内部に収納され、その長手方向が気体導入口および気体排出口が形成される面に対して、傾斜させて配置される。
【０００７】
本発明に係る脱臭ユニットでは、本体ケーシングの内部に配置される、臭気分子および有害ガス成分の少なくとも一つを分解または不活化する活性種を生成する活性種生成部が、気体導入口または気体排出口が形成される面に対して傾斜して配置されている。
【０００８】
したがって、活性種生成部を気体導入口または気体排出口が形成される面に対して傾斜して配置することにより、本体ケーシングを通過する気流に対してより多くの活性種を付与することができ、より効率的に気流に含まれる臭気分子および有害ガス成分の少なくとも一つを分解または不活化させることができる。
【０００９】
第２発明に係る脱臭ユニットは、第１発明に係る脱臭ユニットであって、気体導入口と気体排出口とを結ぶ直線は、気体導入口または気体排出口が形成される面に略垂直な面に対して傾斜している。
【００１０】
本発明に係る脱臭ユニットでは、略直方体形状の本体ケーシングの向かい合わせになっている任意の２つの面それぞれに、本体ケーシング内に気体を導入できる気体導入口と、本体ケーシング内の気体を排出できる気体排出口とが形成されている。そして、気体導入口（の中心）と気体排出口（の中心）とを結ぶ直線が、気体導入口または気体排出口が形成される面に略垂直な面に対して傾斜するように気体導入口と気体排出口とが形成されている。
【００１１】
したがって、本体ケーシングに対して傾斜した方向に気流を起こすことができ、気流が通過する流路断面積を大きくとることができる。そして、活性種生成部を気体導入口または気体排出口が形成される面に対して傾斜して配置することにより、大きくなった気流の流路断面積に対して活性種生成部を気流の流路断面積に適した大きさに大きくした状態で配置することができる。これにより、本体ケーシングを通過する気流に対してより多くの活性種を付与することができ、より効率的に気流に含まれる臭気分子および有害ガス成分の少なくとも一つを分解または不活化させることができる。
【００１２】
第３発明に係る脱臭ユニットは、第２発明に係る脱臭ユニットであって、直線が気体導入口または気体排出口が形成される面に略垂直な面に対して傾斜する回転方向と、活性種生成部が気体導入口および気体排出口が形成される面に対して傾斜する回転方向とは、同一である。
【００１３】
したがって、気流が通過する流路断面積に対して略平行に近い状態で、活性種生成部を配置することができる。このため、活性種生成部近傍を流れる気体に対して、効率よく活性種を付与することができる。
【００１４】
第４発明に係る脱臭ユニットは、第１発明から第３発明のいずれかに係る脱臭ユニットであって、活性種生成部は、活性種を放電により生成する。
【００１５】
したがって、放電により生成した活性種を本体ケーシングに流れ込んでくる気体に付与することができ、気体の含まれる臭気分子および有害ガス成分の少なくとも一つを分解または不活化させることができる。
【００１６】
第５発明に係る脱臭ユニットは、第１発明から第４発明のいずれかに係る脱臭ユニットであって、臭気分子、塵、および埃の少なくとも１つを吸着可能な脱臭／集塵フィルタをさらに備える。
【００１７】
本発明に係る脱臭ユニットでは、本体ケーシングに流れ込んでくる気体に含まれる臭気分子および有害ガス成分の少なくとも一つを、一旦、脱臭／集塵フィルタに吸着させている。そして、脱臭／集塵フィルタに吸着させた臭気分子および有害ガス成分の少なくとも一つに対して、活性種生成部から放出される活性種をふれさせている。
【００１８】
したがって、本体ケーシングに流れ込んでくる気体に含まれる臭気分子および有害ガス成分の少なくとも一つに対して活性種を付与して分解または不活化させるだけでなく、脱臭／集塵フィルタに一旦吸着させた臭気分子および有害ガス成分の少なくとも一つに対しても活性種の効果を及ぼすことができる。このように、脱臭／集塵フィルタに臭気分子および有害ガス成分の少なくとも一つを吸着させることにより、気流に直接活性種を放出する場合よりも、活性種と臭気分子および有害ガス成分の少なくとも一つとを長い間ふれさせることができる。このため、より効果的に気体に含まれる臭気分子および有害ガス成分の少なくとも一つを分解または不活化させることができる。
【００１９】
第６発明に係る脱臭ユニットは、第５発明に係る脱臭ユニットであって、脱臭／集塵フィルタは、活性種生成部の気流の流れ方向下流側に、気体排出口と略平行の向きに配置される。
【００２０】
本発明にかかる脱臭ユニットでは、活性種生成部と脱臭／集塵フィルタとが傾斜して配置されることになる。そして、活性種生成部は、本体ケーシングに対して傾斜して配置されるために、脱臭／集塵フィルタに対する活性種生成部が生成する活性種の密度を大きくすることができる。また、活性種生成部の気流の流れ方向下流側に脱臭／集塵フィルタが配置されるため、活性種生成部により生成された活性種が脱臭／集塵フィルタに到達させやすくすることができる。したがって、効率よく臭気分子および有害ガス成分の少なくとも一つを分解または不活化させることができる。
【００２１】
第７発明に係る脱臭ユニットは、第５発明または第６発明に係る脱臭ユニットであって、本体ケーシングは、メンテナンス開口と、メンテナンスカバーとを有する。メンテナンス開口は、活性種生成部および脱臭／集塵フィルタを取り出すことができる。メンテナンスカバーは、メンテナンス開口を塞ぐ。
【００２２】
本発明に係る脱臭ユニットでは、メンテナンス開口から活性種生成部および脱臭／集塵フィルタを本体ケーシングから取り出すことが可能である。したがって、本体ケーシングにメンテナンス開口を１つ設けるのみで、活性種生成部および脱臭／集塵フィルタのメンテナンスを行うことができる。このため、活性種生成部と脱臭／集塵フィルタとにそれぞれメンテナンス開口がある場合と比べて、メンテナンスを行う負担を軽減することができる。また、本体ケーシングにかかる生産コストを抑えることができる。
【００２３】
第８発明に係る脱臭ユニットは、第７発明に係る脱臭ユニットであって、電装品ケーシングをさらに備える。電装品ケーシングは、活性種生成部に、電源を供給し、かつ、制御信号を送信する制御部を内部に有する。そして、電装品ケーシングは、本体ケーシングのメンテナンス開口と同じ側に配置される。
【００２４】
本発明に係る脱臭ユニットでは、電装品ケーシングが本体ケーシングのメンテナンス開口と同じ側に配置されているため、例えば、脱臭ユニットが天井裏に設置されており、電装品ケーシングに対するメンテナンスと活性種生成部および脱臭／集塵フィルタに対するメンテナンスとを同時に行う必要がある場合に、同一の天井点検口からそれぞれのメンテナンスを行うことができる。したがって、メンテナンスにかかる負担を軽減することができる。
【００２５】
第９発明に係る脱臭システムは、居室の天井裏に設置される脱臭システムであって、脱臭ユニットと、給気ユニットと、天井点検口とを備える。脱臭ユニットは、第１発明から第７発明のいずれかに記載の脱臭ユニットである。給気ユニットは、脱臭ユニットの気体導入口に接続され、脱臭ユニットに風を送風可能である。天井点検口は、天井に設けられ、脱臭ユニットと給気ユニットとをメンテナンス可能である。
【００２６】
本発明に係る脱臭システムでは、天井点検口から、天井裏に設置される給気ユニットと脱臭ユニットとの両方ともをメンテナンスすることができる。したがって、メンテナンスに係る負担を軽減することができる。
【００２７】
第１０発明に係る脱臭システムは、第９発明に係る脱臭システムであって、給気ユニットは、送風ファンを有する。また、給気ユニットは、居室の空間を、脱臭ユニットを介して調湿可能な、調湿処理装置である。
【００２８】
第１１発明に係る脱臭システムは、第９発明に係る脱臭システムであって、給気ユニットは、送風ファンと、熱交換部とを有する全熱交換装置である。なお、熱交換部は、居室の空間から排気する空気と居室の空間に取り込む外気とを熱交換させることができる。
【発明の効果】
【００２９】
第１発明に係る脱臭ユニットでは、活性種生成部を気体導入口または気体排出口が形成される面に対して傾斜して配置することにより、本体ケーシングを通過する気流に対してより多くの活性種を付与することができ、より効率的に気流に含まれる臭気分子および有害ガス成分の少なくとも一つを分解または不活化させることができる。
【００３０】
第２発明に係る脱臭ユニットでは、本体ケーシングに対して傾斜した方向に気流を起こすことができ、気流が通過する流路断面積を大きくとることができる。そして、活性種生成部を気体導入口または気体排出口が形成される面に対して傾斜して配置することにより、大きくなった気流の流路断面積に対して活性種生成部を気流の流路断面積に適した大きさに大きくした状態で配置することができる。これにより、本体ケーシングを通過する気流に対してより多くの活性種を付与することができ、より効率的に気流に含まれる臭気分子および有害ガス成分の少なくとも一つを分解または不活化させることができる。
【００３１】
第３発明に係る脱臭ユニットでは、気流が通過する流路断面積に対して略平行に近い状態で、活性種生成部を配置することができる。このため、活性種生成部近傍を流れる気体に対して、効率よく活性種を付与することができる。
【００３２】
第４発明に係る脱臭ユニットでは、放電により生成した活性種を本体ケーシングに流れ込んでくる気体に付与することができ、気体の含まれる臭気分子および有害ガス成分の少なくとも一つを分解または不活化させることができる。
【００３３】
第５発明に係る脱臭ユニットでは、本体ケーシングに流れ込んでくる気体に含まれる臭気分子および有害ガス成分の少なくとも一つに対して活性種を付与して分解または不活化させるだけでなく、脱臭／集塵フィルタに一旦吸着させた臭気分子および有害ガス成分の少なくとも一つに対しても活性種の効果を及ぼすことができる。このように、脱臭／集塵フィルタに臭気分子および有害ガス成分の少なくとも一つを吸着させることにより、気流に直接活性種を放出する場合よりも、活性種と臭気分子および有害ガス成分の少なくとも一つとを長い間ふれさせることができる。このため、より効果的に気体に含まれる臭気分子および有害ガス成分の少なくとも一つを分解または不活化させることができる。
【００３４】
第６発明に係る脱臭ユニットでは、活性種生成部と脱臭／集塵フィルタとが傾斜して配置されることになる。そして、活性種生成部は、本体ケーシングに対して傾斜して配置されるために、脱臭／集塵フィルタに対する活性種生成部が生成する活性種の密度を大きくすることができる。また、活性種生成部の気流の流れ方向下流側に脱臭／集塵フィルタが配置されるため、活性種生成部により生成された活性種が脱臭／集塵フィルタに到達させやすくすることができる。したがって、効率よく臭気分子および有害ガス成分の少なくとも一つを分解または不活化させることができる。
【００３５】
第７発明に係る脱臭ユニットでは、メンテナンス開口から活性種生成部および脱臭／集塵フィルタを本体ケーシングから取り出すことが可能である。したがって、本体ケーシングにメンテナンス開口を１つ設けるのみで、活性種生成部および脱臭／集塵フィルタのメンテナンスを行うことができる。このため、活性種生成部と脱臭／集塵フィルタとにそれぞれメンテナンス開口がある場合と比べて、メンテナンスを行う負担を軽減することができる。また、本体ケーシングにかかる生産コストを抑えることができる。
【００３６】
第８発明に係る脱臭ユニットでは、電装品ケーシングが本体ケーシングのメンテナンス開口と同じ側に配置されているため、例えば、脱臭ユニットが天井裏に設置されており、電装品ケーシングに対するメンテナンスと活性種生成部および脱臭／集塵フィルタに対するメンテナンスとを同時に行う必要がある場合に、同一の天井点検口からそれぞれのメンテナンスを行うことができる。したがって、メンテナンスにかかる負担を軽減することができる。
【００３７】
第９発明から第１１発明に係る脱臭システムでは、天井点検口から、天井裏に設置される給気ユニットと脱臭ユニットとの両方ともをメンテナンスすることができる。したがって、メンテナンスに係る負担を軽減することができる。
【発明を実施するための最良の形態】
【００３８】
−第一実施形態−
以下図面を参照しながら、本発明の第一実施形態について説明する。なお、以下の第一実施形態は、本発明の具体例であって、本発明の技術的範囲を限定するものではない。
【００３９】
＜脱臭ユニット＞
本発明の第一実施形態に係る脱臭ユニット１は、室内の天井裏に設置される給気ユニットの給気側にダクトを介して設置され、給気ユニットから送られる空気の脱臭、浄化を行う。脱臭ユニット１は、主に、本体ケーシング１０と、臭気分子、塵、および埃を吸着する光触媒フィルタ２と、ストリーマ放電ユニット３とを備える。
【００４０】
（本体ケーシング）
図１は、本発明の脱臭ユニット１の正面側から視た本体ケーシング１０の外観斜視図である。本体ケーシング１０は、天板１１、底板１２、正面側パネル１３、背面側パネル１４、右側面パネル１５、および左側面パネル１６によって略直方体形状に形成されている。
【００４１】
正面側パネル１３には、脱臭ユニット１に備えられる光触媒フィルタ２と、ストリーマ放電ユニット３とを取り出したり、挿入したりすることができるメンテナンス開口１３ａが開けられている。そして、正面側パネル１３には、メンテナンス開口１３ａを塞ぐメンテナンスカバー１３ｂが設けられる。メンテナンスカバー１３ｂは、メンテナンス開口１３ａを完全に覆い塞ぐことができ、正面側パネル１３のメンテナンス開口１３ａ左側に設けられた金具にその左端を引っかけて、右端をビス留めされることにより固定されている。したがって、メンテナンス作業者などのユーザは、脱臭ユニット１をメンテナンスする際に、メンテナンスカバー１３ｂの右端のビスを外すことにより、メンテナンスカバー１３ｂを外すことができ、メンテナンス開口１３ａから光触媒フィルタ２やストリーマ放電ユニット３を取り出してメンテナンスすることができる。
【００４２】
右側面パネル１５は、給気ユニットとダクトを介して接続可能な吸込開口１５ａを有している。吸込開口１５ａは、接続される給気ユニットから送られる空気を本体ケーシング１０に取り入れることが可能である。そして、吸込開口１５ａは、右側面パネル１５の正面視において中心よりも左側に開口されている。
【００４３】
左側面パネル１６は、本体ケーシング１０内部を通過した空気を、吐き出す吐出開口１６ａを有している。吐出開口１６ａは、ダクトを介して室内の天井に設けられる天井吹出口に接続されている。すなわち、給気ユニットから送られて脱臭ユニット１により脱臭および浄化された空気は、吐出開口１６ａに接続されたダクトを介して天井吹出口から室内へ吹き出されることになる。そして、吐出開口１６ａは、左側面パネル１６の正面視において中心よりも左側に開口されている。
【００４４】
このように、右側面パネル１５に開けられている吸込開口１５ａが右側面パネル１５の正面視において中心よりも左側に開口されており、左側面パネル１６に開けられている吐出開口１６ａが左側面パネル１６の正面視において中心よりも左側に開口されているため、本体ケーシング１０の内部を通過する空気の流路は、図４の破線の矢印ように、正面側パネル１３および背面側パネル１４に対して傾斜して、本体ケーシング１０の上面視において吸込開口１５ａの中心と吐出開口１６ａの中心とを結ぶ線Ｌ１に沿うようになる。
【００４５】
（光触媒フィルタ）
光触媒フィルタ２は、直方体形状でハニカム形状に形成されており、左側面パネル１６の内側に左側面パネルに沿うように配置されている(図２参照)。光触媒フィルタ２は、臭気分子や塵埃などを吸着する。光触媒フィルタ２は、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット３から供給される活性種により光触媒機能が活性化され、ウィルスやカビ菌、細菌などを不活化または死滅させる。
【００４６】
（ストリーマ放電ユニット）
ストリーマ放電ユニット３は、略直方体形状であって、放電ユニット取付枠１７の上部と下部とに２つ取り付けられる。放電ユニット取付枠１７は、水平方向に延びる直方体形状の枠上部１７ａおよび枠下部１７ｂと、枠上部１７ａと枠下部１７ｂとを所定間隔を上下方向に開けて接続する枠側部１７ｃ、１７ｄとにより構成されている（図２参照）。そして、２つのストリーマ放電ユニット３は、１つが放電ユニット取付枠１７の上部であって枠上部１７ａよりも下方に枠上部１７ａに沿って取り付けられ、もう１つが放電ユニット取付枠１７の下部であって枠下部１７ｂよりも上方に枠下部１７ｂに沿って取り付けられる。なお、ストリーマ放電ユニット３は、水平方向における端部を枠側部１７ｃ、１７ｄにビス留めされることにより固定される。そして、放電ユニット取付枠１７は、本体ケーシング１０の上面視において右側面パネル１５および左側面パネル１６に対して傾斜して配置される。すなわち、ストリーマ放電ユニット３は、の上面視において右側面パネル１５および左側面パネル１６に対して傾斜して配置されることになる。なお、ストリーマ放電ユニット３は、光触媒フィルタ２の空気の流れ方向上流側に配置される。
【００４７】
また、ストリーマ放電ユニット３は、図３に示すように、放電ユニットケーシング３１と、放電部３２と、を有しており、ストリーマ放電を生起させることにより、光触媒フィルタ２に供給する活性種を生成して本体ケーシング１０内部に形成される空気の流路に放出する。
【００４８】
放電ユニットケーシング３１には、放電部３２が取り付けられる。放電ユニットケーシング３１は、樹脂から形成された箱状の部材である。放電ユニットケーシング３１は、空気流路の下流側の面に活性種を放出するための放出孔３１ａが開けられている。
【００４９】
放電部３２は、ストリーマ放電を生起させる主要部であり、ストリーマ放電電極３２ａと、アース板３２ｂとを有する。
【００５０】
ストリーマ放電電極３２ａは、金属板４を切り起こした部分に取り付けられた端子で構成されており、放電電圧が印可されることによってアース板３２ｂとの間にストリーマ放電を生じさせる。
【００５１】
アース板３２ｂは、金属板から形成されており、ストリーマ放電電極３２ａの金属板４よりも大きな略長方形の外形を有する。アース板３２ｂは、ストリーマ放電電極３２ａに対して平行に配置されており、ストリーマ放電電極３２ａの近くに離れて配置されている。アース板３２ｂは、放電ユニットケーシング３１の下流側の面に接しており、放電ユニットケーシングの下流側の面の放出孔３１ａと同様の位置に放出孔３２ｃが開けられている。これにより、ストリーマ放電電極３２ａからアース板３２ｂに向けて放出されたストリーマ放電によって生成された活性種が、アース板３２ｂの放出孔３２ｃおよび放電ユニットケーシング３１の下流側の面の放出孔３１ａを通過して、本体ケーシング１０に形成される空気流路に放出されることになる。なお、これらの放出孔３１ａおよび放出孔３２ｃは、ストリーマ放電電極３２ａの先端の水平方向における位置に一致する位置に集中的に複数（本実施形態においては、ストリーマ放電電極３２ａの先端１つにつき８つの放出孔３１ａ、３２ｃ）設けられている。これにより、放電部３２から放出される活性種を、効率よく本体ケーシング１０の内部に形成される空気流路に放出することができる。
【００５２】
以上のようにして、ストリーマ放電電極３２ａから発生される活性種は、本体ケーシング１０の内部を流れる空気流に対して放出される。そして、脱臭ユニット１では、この活性種により、光触媒フィルタ２に吸着された臭気分子、塵、および埃を分解および不活化している。
【００５３】
また、ストリーマ放電ユニット３は、左側面パネル１６に対して、本体ケーシング１０の上面視において右回転方向（図４の矢印Ａ１参照）に鋭角の角度で傾斜している。なお、図４では、ストリーマ放電ユニット３は、左側面パネル１６に対しての右回転方向の矢印Ａ１を表記しているが、これに限らず右側面パネル１５に対しての右回転方向の矢印を表記しても良い。
【００５４】
さらに、直線Ｌ１（すなわち、空気流路）は、背面側パネル１４に対して、本体ケーシング１０の上面視において右回転方向（図４の矢印Ａ２参照）に鋭角の角度で傾斜している。なお、図４では、直線Ｌ１は、背面側パネル１４対しての右回転方向の矢印Ａ２を表記しているが、これに限らず正面側パネル１３に対しての右回転方向の矢印を表記しても良い。
【００５５】
このように、ストリーマ放電ユニット３の左側面パネル１６に対する傾斜の回転方向と、直線Ｌ１の背面側パネル１４に対する傾斜の回転方向とは、ともに右回転方向で一致している。したがって、ストリーマ放電ユニット３と直線Ｌ１とは、垂直に近い状態で交わることになる。このため、ストリーマ放電ユニット３は、本体ケーシング１０を通過する空気に対して、効率よく活性種を放出することができる。また、ストリーマ放電ユニット３は、左側面パネル１６に対して傾斜して設置しているために、傾斜しない場合と比べて長手方向に長くすることができる。このため、本体ケーシング１０の大きさに対する、ストリーマ放電ユニット３から放出できる活性種の数を増やすことができ、より効果的に本体ケーシング１０の内部を通過する空気を脱臭および浄化することができる。
【００５６】
（電装品ケーシング）
本体ケーシング１０の正面側パネル１３には、ストリーマ放電ユニット３に電力の供給や制御を行うための電装品が収められた電装品ケーシング１８が設けられている（図１参照）。電装品ケーシング１８には、正面側に電装品のメンテナンスが可能なメンテナンス開口１８ａが開けられており、メンテナンス開口１８ａにはメンテナンスカバー１８ｂが備えられる。電装品ケーシングは正面側パネル１３に取り付けられることになるため、本体ケーシング１０のメンテナンス開口と同じ側に電装品ケーシングのメンテナンス開口が存在することになる。したがって、メンテナンス作業者などのユーザは、本体ケーシング１０に対して正面側から、光触媒フィルタ２およびストリーマ放電ユニット３のメンテナンスや電装品のメンテナンスを行うことができる。このため、メンテナンス作業者の負担を軽減することができる。
【００５７】
＜第一実施形態の特徴＞
（１）
第一実施形態に係る脱臭ユニット１では、略直方体形状の本体ケーシング１０の向かい合わせになっている右側面パネル１５と左側面パネル１６とのそれぞれに、本体ケーシング内に気体を導入できる吸込開口１５ａと、本体ケーシング内の気体を排出できる吐出開口１６ａとが形成されている。そして、吸込開口１５ａの中心と吐出開口１６ａの中心とを結ぶ直線Ｌ１が正面側パネル１３または背面側パネル１４に対して傾斜するように、吸込開口１５ａと吐出開口１６ａとが配置されている。また、本体ケーシング１０の内部には、臭気分子および有害ガス成分を分解または不活化する活性種を生成するストリーマ放電ユニット３が、右側面パネル１５または左側面パネル１６に対して傾斜して配置されている。
【００５８】
したがって、本体ケーシング１０に対して傾斜した方向に空気流路を生成することができ、空気が通過する流路断面積を大きくとることができる。そして、ストリーマ放電ユニット３を、右側面パネル１５または左側面パネル１６に対して傾斜して配置することにより、大きくなった上記流路断面積に対してストリーマ放電ユニット３を気流の流路断面積に適した大きさで配置することができる。これにより、本体ケーシング１０の内部を通過する気流に対してより多くの活性種を付与することができ、より効率的に気流に含まれる臭気分子および有害ガス成分の少なくとも一つを分解または不活化させることができる。
【００５９】
さらに、ストリーマ放電ユニット３の左側面パネル１６に対する傾斜の回転方向と、直線Ｌ１の背面側パネル１４に対する傾斜の回転方向とは、ともに右回転方向で一致している。
【００６０】
したがって、ストリーマ放電ユニット３と直線Ｌ１とは、垂直に近い状態で交わることになる。このため、ストリーマ放電ユニット３は、本体ケーシング１０を通過する空気に対して、効率よく活性種を放出することができる。また、ストリーマ放電ユニット３は、左側面パネル１６に対して傾斜して設置しているために、傾斜しない場合と比べて長手方向に長くすることができる。このため、本体ケーシング１０の大きさに対する、ストリーマ放電ユニット３から放出できる活性種の数を増やすことができ、より効果的に本体ケーシング１０の内部を通過する空気を脱臭および浄化することができる。
【００６１】
（２）
第一実施形態に係る脱臭ユニット１では、本体ケーシング１０に流れ込んでくる気体に含まれる臭気分子および有害ガス成分の少なくとも一つを、一旦、光触媒フィルタ２に吸着させている。そして、光触媒フィルタ２に吸着させた臭気分子および有害ガス成分に対して、ストリーマ放電ユニット３から放出される活性種をふれさせている。
【００６２】
したがって、本体ケーシング１０に流れ込んでくる気体に含まれる臭気分子および有害ガス成分に対して活性種を付与して分解または不活化させるだけでなく、光触媒フィルタ２に一旦吸着させた臭気分子および有害ガス成分に対しても活性種の効果を及ぼすことができる。このように、脱臭／集塵フィルタに臭気分子および有害ガス成分を吸着させることにより、気流に直接活性種を放出する場合よりも、活性種と臭気分子および有害ガス成分を長い間ふれさせることができる。このため、より効果的に気体に含まれる臭気分子および有害ガス成分を分解または不活化させることができる。
【００６３】
（３）
第一実施形態に係る脱臭ユニット１では、ストリーマ放電ユニット３が光触媒フィルタ２に対して傾斜して配置されており、かつ、メンテナンス開口１８ａに光触媒フィルタ２の一端とストリーマ放電ユニット３の一端とが隣り合わせになるように配置されている。
【００６４】
このため、メンテナンス開口１８ａから光触媒フィルタ２およびストリーマ放電ユニット３を本体ケーシング１０内部から取り出すことが可能である。したがって、本体ケーシング１０にメンテナンス開口１８ａを１つ設けるのみで、光触媒フィルタ２およびストリーマ放電ユニット３のメンテナンスを行うことができる。これにより、光触媒フィルタ２とストリーマ放電ユニット３とにそれぞれメンテナンス開口がある場合と比べて、メンテナンスを行う負担を軽減することができる。また、本体ケーシングにかかる生産コストを抑えることができる。
【００６５】
（４）
第一実施形態に係る脱臭ユニット１では、電装品ケーシング１８が本体ケーシング１０のメンテナンス開口１３ａと同じ側に配置されているため、天井裏に設置される脱臭ユニット１の電装品ケーシング１８に対するメンテナンスと光触媒フィルタ２およびストリーマ放電ユニット３に対するメンテナンスとを同時に行う必要がある場合に、同一の天井点検口からそれぞれのメンテナンスを行うことができる。したがって、メンテナンスにかかる負担を軽減することができる。
【００６６】
＜第一実施形態の変形例＞
第一実施形態に係る脱臭ユニット１では、右側面パネル１５に開けられている吸込開口１５ａが右側面パネル１５の正面視において中心よりも左側に開口されており、左側面パネル１６に開けられている吐出開口１６ａが左側面パネル１６の正面視において中心よりも左側に開口されており、本体ケーシング１０の内部を通過する空気の流路は、図４の破線の矢印ように、正面側パネル１３および背面側パネル１４に対して傾斜して、本体ケーシング１０の上面視において吸込開口１５ａの中心と吐出開口１６ａの中心とを結ぶ線Ｌ１に沿うようになっているが、これに限らずに、吸込開口および吐出開口はともに開口されるパネルの中心や中心よりも右側に開口されていても構わない。しかしながら、ストリーマ放電ユニット３から放出される活性種を効率よく付与させるという点においては、第１実施形態の位置に吸込開口１５ａや吐出開口１６ｂを設けることが望ましい。
【００６７】
−第二実施形態−
本発明の第二実施形態に係る脱臭システム１００は、室内の天井裏に設置される給気ユニットとしての調湿ユニット５と、調湿ユニット５の給気側にダクトを介して設置され調湿ユニット５から送られる空気の脱臭、浄化を行う脱臭ユニット１と、室内の天井Ｃ１に設置される共有天井点検口６とから構成される。図５は、上面視における脱臭システム１００の概略図である。
【００６８】
脱臭ユニット１は、第一実施形態で説明した脱臭ユニット１と全く同じ構成であるため、説明を省略する。
【００６９】
＜調湿ユニットの全体構成＞
調湿ユニット５について、図６〜１０に基づいて説明する。
【００７０】
図６は、調湿ユニット５の調湿ユニットケーシング６０の正面側から視た外観斜視図である。調湿ユニット５は、調湿ユニットケーシング６０を備えている。また、調湿ユニットケーシング６０内には、冷媒回路５０が収容されている。この冷媒回路５０には、第１吸着熱交換器５１、第２吸着熱交換器５２、圧縮機５３、四路切換弁５４、および電動膨張弁５５が接続されている。冷媒回路５０については後述する。
【００７１】
調湿ユニットケーシング６０は、略直方体状に形成されている。調湿ユニットケーシング６０では、図６における左手前側に正面側パネル６５が、その向かい側に背面側パネル６６がそれぞれ立設されている。
【００７２】
調湿ユニットケーシング６０の右側面パネル６７の背面側パネル６６側の位置に排気口６１が開口している。また、調湿ユニットケーシング６０の左側面パネル６８の背面側パネル６６がわの位置に給気口６２が開口している。調湿ユニットケーシング６０の正面側パネル６５には室外とダクトを介して連通している外気吸込口６３と室内とダクトを介して連通している内気吸込口６４とがそれぞれ開口している。
【００７３】
また、調湿ユニットケーシング６０には、左側面パネル６８の正面側パネル６５側に（すなわち給気口６２の左側に）冷媒回路５０や後述するファン等のメンテナンスを行うことができるメンテナンス開口６８ａが開口している。そして、左側面パネル６８には、メンテナンス開口６８ａを塞ぐメンテナンスカバー６８ｂが設けられる。
【００７４】
さらに、調湿ユニットケーシング６０には、背面側パネル６６に、冷媒回路５０やファン等に電力の供給を行ったり、制御を行ったりするための電装品ケーシング６９が設けられている。電装品ケーシング６９には、正面側に電装品のメンテナンスが可能なメンテナンス開口６９ａが開けられており、メンテナンス開口６９ａにはメンテナンスカバー６９ｂが備えられる。
【００７５】
調湿ユニットケーシング６０の内部には、冷媒回路５０の他に、排気口６１から空気を排出する排気ファン８１と、給気口６２から室内へ空気を給気する給気ファン８２とが設けられている。そして、第２吸着熱交換器５２の風上側には、外気吸込口６３と連通させて外気と熱交換させるか、あるいは、内気吸込口６４と連通させて室内の空気と熱交換させるかを切替可能な第１切替機構７１が設けられている。第２吸着熱交換器５２の風下側には、排気口６１と連通させて熱交換後の空気を排出させるか、あるいは、給気口６２と連通させて熱交換後の空気を室内に供給するかを切替可能な第２切替機構７２が設けられている。さらに、第１吸着熱交換器５１の風上側には、外気吸込口６３と連通させて外気と熱交換させるか、あるいは、内気吸込口６４と連通させて室内の空気と熱交換させるかを切替可能な第３切替機構７３が設けられている。第１吸着熱交換器５１の風下側には、排気口６１と連通させて熱交換後の空気を排出させるか、あるいは、給気口６２と連通させて熱交換後の空気を室内に供給するかを切替可能な第２切替機構７２が設けられている。
【００７６】
（冷媒回路の構成）
冷媒回路５０について、図７〜１０を参照しながら説明する。
【００７７】
冷媒回路５０は、第１吸着熱交換器５１、第２吸着熱交換器５２、圧縮機５３、四路切換弁５４、および電動膨張弁５５が設けられた閉回路である。この冷媒回路５０は、充填された冷媒を循環させることによって、蒸気圧縮冷凍サイクルを行う。
【００７８】
冷媒回路５０において、圧縮機５３は、その吐出側が四路切換弁５４の第１のポートに、その吸入側が四路切換弁５４の第２のポートにそれぞれ接続されている。第１吸着熱交換器５１の一端は、四路切換弁５４の第３のポートに接続されている。第１吸着熱交換器５１の他端は、電動膨張弁５５を介して第２吸着熱交換器５２の一端に接続されている。第２吸着熱交換器５２の他端は、四路切換弁５４の第４のポートに接続されている。
【００７９】
四路切換弁５４は、第１のポートと第３のポートが連通して第２のポートと第４のポートが連通する第１状態（図７、９に示す状態）と、第１のポートと第４のポートが連通して第２のポートと第３のポートが連通する第２状態（図８、１０に示す状態）とに切り換え可能となっている。
【００８０】
第１吸着熱交換器５１および第２吸着熱交換器５２は、何れもクロスフィン型のフィン・アンド・チューブ熱交換器によって構成されている。これら吸着熱交換器５１、５２は、銅製の伝熱管（図示せず）とアルミニウム製のフィン（図示せず）とを備えている。
【００８１】
各吸着熱交換器５１、５２では、各フィンの表面に吸着剤が担持されており、フィンの間を通過する空気がフィンに担持された吸着剤と接触する。この吸着剤としては、ゼオライト、シリカゲル、活性炭、親水性の官能基を有する有機高分子材料など、空気中の水蒸気を吸着できるものが用いられる。第１吸着熱交換器５１および第２吸着熱交換器５２は、調湿用部材を構成している。
【００８２】
＜運転動作＞
本実施形態の調湿ユニット５では、除湿運転または加湿運転を行うものである。除湿運転中や加湿運転中の調湿ユニット５は、取り込んだ室外空気ＯＡを湿度調節してから供給空気ＳＡとして室内へ供給すると同時に、取り込んだ室内空気ＲＡを排出空気ＥＡとして室外へ排出する。
【００８３】
（除湿運転）
除湿運転中の調湿ユニット５では、後述する第１動作と第２動作が所定の時間間隔（例えば３分間隔）で交互に繰り返される。
【００８４】
まず、除湿運転の第１動作について説明する。図７に示すように、この第１動作中には、第１切替機構７１が外気吸込口６３と第２吸着熱交換器５２とを連通状態にし、第２切換機構７２が給気口６２と第２吸着熱交換器５２とを連通状態にし、第３切換機構７３が内気吸込口６４と第１吸着熱交換器とを連通状態にし、第４切換機構が排気口６１と第１吸着熱交換器とを連通状態にする。そして、この状態で調湿ユニット５の給気ファン８２および排気ファン８１が運転される。給気ファン８２を運転すると、室外空気が外気吸込口６３から調湿ユニットケーシング６０内へ第１空気として取り込まれる。排気ファン８１を運転すると、室内空気が内気吸込口６４から調湿ユニットケーシング６０内へ第２空気として取り込まれる。
【００８５】
この第１動作中の冷媒回路５０では、図７に示すように、四路切換弁５４が第１状態に設定される。この状態の冷媒回路５０では、冷媒が循環して冷凍サイクルが行われる。その際、冷媒回路５０では、圧縮機５３から吐出された冷媒が第１吸着熱交換器５１、電動膨張弁５５、第２吸着熱交換器５２の順に通過し、第１吸着熱交換器５１が凝縮器となって第２吸着熱交換器５２が蒸発器となる。
【００８６】
外気吸込口６３から流入した第１空気は、第１切替機構７１を通って、第２吸着熱交換器５２を通過する。第２吸着熱交換器５２では、第１空気中の水分が吸着剤に吸着され、その際に生じた吸着熱が冷媒に吸熱される。第２吸着熱交換器５２で除湿された第１空気は、第２切換機構７２を通って、給気ファン８２により室内へ供給される。
【００８７】
一方、内気吸込口６４から流入した第２空気は、第３切換機構７３を通って、第１吸着熱交換器５１を通過する。第１吸着熱交換器５１では、冷媒で加熱された吸着剤から水分が脱離し、この脱離した水分が第２空気に付与される。第１吸着熱交換器５１で水分を付与された第２空気は、第４切換機構７４を通って、排気ファン８１により排気口６１を通って室外へ排出される。
【００８８】
除湿運転の第２動作について説明する。図８に示すように、この第２動作中には、第１切替機構７１が内気吸込口６４と第２吸着熱交換器５２とを連通状態にし、第２切換機構７２が排気口６１と第２吸着熱交換器５２とを連通状態にし、第３切換機構７３が外気吸込口６３と第１吸着熱交換器とを連通状態にし、第４切換機構が給気口６２と第１吸着熱交換器とを連通状態にする。
【００８９】
この第２動作中の冷媒回路５０では、図８に示すように、四路切換弁５４が第２状態に設定される。この状態の冷媒回路５０では、冷媒が循環して冷凍サイクルが行われる。その際、冷媒回路５０では、圧縮機５３から吐出された冷媒が第２吸着熱交換器５２、電動膨張弁５５、第１吸着熱交換器５１の順に通過し、第１吸着熱交換器５１が蒸発器となって第２吸着熱交換器５２が凝縮器となる。
【００９０】
外気吸込口６３から流入した第１空気は、第３切換機構７３を通って、第１吸着熱交換器５１を通過する。第１吸着熱交換器５１では、第１空気中の水分が吸着剤に吸着され、その際に生じた吸着熱が冷媒に吸熱される。第１吸着熱交換器５１で除湿された第１空気は、第４切換機構７４を通って、給気ファン８２により給気口６２を通って室内へ供給される。
【００９１】
一方、内気吸込口６４から流入した第２空気は、第１切替機構７１を通って、第２吸着熱交換器５２を通過する。第２吸着熱交換器５２では、冷媒で加熱された吸着剤から水分が脱離し、この脱離した水分が第２空気に付与される。第２吸着熱交換器５２で水分を付与された第２空気は、第２切換機構７２を通って、排気ファン８１により排気口６１を通って室外へ排出される。
【００９２】
（加湿運転）
加湿運転中の調湿ユニット５では、後述する第１動作と第２動作が所定の時間間隔（例えば３分間隔）で交互に繰り返される。
【００９３】
まず、加湿運転の第１動作について説明する。図９に示すように、この第１動作中には、第１切替機構７１が内気吸込口６４と第２吸着熱交換器５２とを連通状態にし、第２切換機構７２が排気口６１と第２吸着熱交換器５２とを連通状態にし、第３切換機構７３が外気吸込口６３と第１吸着熱交換器とを連通状態にし、第４切換機構が給気口６２と第１吸着熱交換器とを連通状態にする。そして、この状態で調湿ユニット５の給気ファン８２および排気ファン８１が運転される。給気ファン８２を運転すると、室外空気が外気吸込口６３から調湿ユニットケーシング６０内へ第２空気として取り込まれる。排気ファン８１を運転すると、室内空気が内気吸込口６４から調湿ユニットケーシング６０内へ第１空気として取り込まれる。
【００９４】
この第１動作中の冷媒回路５０では、図９に示すように、四路切換弁５４が第１状態に設定される。そして、この冷媒回路５０では、除湿運転の第１動作中と同様に、第１吸着熱交換器５１が凝縮器となって第２吸着熱交換器５２が蒸発器となる。
【００９５】
内気吸込口６４から流入した第１空気は、第１切替機構７１を通って、その後に第２吸着熱交換器５２を通過する。第２吸着熱交換器５２では、第１空気中の水分が吸着剤に吸着され、その際に生じた吸着熱が冷媒に吸熱される。第２吸着熱交換器５２で水分を奪われた第１空気は、第２切換機構７２を通って、排気ファン８１により排気口６１を通って室外へ排出される。
【００９６】
一方、外気吸込口６３から流入した第２空気は、第３切換機構７３を通って、その後に第１吸着熱交換器５１を通過する。第１吸着熱交換器５１では、冷媒で加熱された吸着剤から水分が脱離し、この脱離した水分が第２空気に付与される。第１吸着熱交換器５１で加湿された第２空気は、第４切換機構７４を通って、給気ファンにより給気口６２を通って室内へ供給される。
【００９７】
加湿運転の第２動作について説明する。図１０に示すように、この第２動作中には、第１切替機構７１が外気吸込口６３と第２吸着熱交換器５２とを連通状態にし、第２切換機構７２が給気口６２と第２吸着熱交換器５２とを連通状態にし、第３切換機構７３が内気吸込口６４と第１吸着熱交換器とを連通状態にし、第４切換機構が排気口６１と第１吸着熱交換器とを連通状態にする。
【００９８】
この第２動作中の冷媒回路５０では、図１０に示すように、四路切換弁５４が第２状態に設定される。そして、この冷媒回路５０では、除湿運転の第２動作中と同様に、第１吸着熱交換器５１が蒸発器となって第２吸着熱交換器５２が凝縮器となる。
【００９９】
内気吸込口６４か流入した第１空気は、第３切換機構を通って、第１吸着熱交換器５１を通過する。第１吸着熱交換器５１では、第１空気中の水分が吸着剤に吸着され、その際に生じた吸着熱が冷媒に吸熱される。第１吸着熱交換器５１で水分を奪われた第１空気は、第４切換機構７４を通って、排気ファン８１を通過後に排気口６１を通って室外へ排出される。
【０１００】
一方、外気吸込口６３から流入した第２空気は、第１切替機構７１を通って、第２吸着熱交換器５２を通過する。第２吸着熱交換器５２では、冷媒で加熱された吸着剤から水分が脱離し、この脱離した水分が第２空気に付与される。第２吸着熱交換器５２で加湿された第２空気は、第２切換機構７２を通って、給気ファン８２により給気口６２を通って室内へ供給される。
【０１０１】
＜共有天井点検口＞
脱臭システム１００には、脱臭ユニット１と調湿ユニット５との両方ともにメンテナンスすることが可能な共有天井点検口６が設けられる。共有天井点検口６は、脱臭ユニット１の正面側パネル１３と調湿ユニット５の左側面パネル６８とに二方向を囲まれる位置に設けられ、６００ｍｍ四方の正方形上である。これにより、共有天井点検口６から同時に脱臭ユニット１のメンテナンス開口１３ａと調湿ユニット５のメンテナンス開口６８ａにアクセス可能になるため、メンテナンス作業者などのユーザが脱臭システム１００のメンテナンスを行う際の負担を軽減することができる。
【０１０２】
なお、第二実施形態の脱臭システム１００には、調湿ユニット５の電装品ケーシング６９内部の電装品をメンテナンスするための調湿ユニット用点検口７が設けられる。
【０１０３】
＜第二実施形態の特徴＞
（１）
第二実施形態に係る脱臭システム１００では、調湿ユニット５の給気側に接続される脱臭ユニット１の吸込開口１５ａが本体ケーシング１０の右側面パネル１５の正面側パネル１３側に設けられている。そして、脱臭ユニット１の正面側パネル１３には、メンテナンス開口１３ａおよび電装品ケーシング１８といった脱臭ユニット１のメンテナンスに関わる要素が存在している。さらに、調湿ユニット５のメンテナンス開口６８ａが設けられる左側面パネル６８には、脱臭ユニット１の吸込側に接続する給気口６２が設けられる。
【０１０４】
このように、脱臭ユニット１の吸込開口１５ａを本体ケーシング１０の右側面パネル１５の正面側パネル１３側に設けることにより、正面側パネル１３側にスペースを設けることができる。そして、このスペースを脱臭ユニット１と調湿ユニット５との共通するメンテナンススペースとすることができる。このため、このスペースに共有天井点検口６を設けることにより、共有天井点検口６から同時に脱臭ユニット１のメンテナンス開口１３ａと調湿ユニット５のメンテナンス開口６８ａにアクセス可能になる。このため、メンテナンス作業者などのユーザが脱臭システム１００のメンテナンスを行う際の負担を軽減することができる。
【０１０５】
（２）
第二実施形態に係る脱臭システム１００では、給気ユニットとして調湿ユニット５を利用している。調湿ユニット５では、吸着熱交換器５１、５２に吸着剤が担持されており、吸着剤に空気中の水分を吸着させたり脱離させたりしているため、水分にとけ込みやすい臭気分子も水分とともに吸着熱交換器５１、５２に吸着しやすくなっている。このため、調湿ユニット５から室内への給気を行う際に、吸着熱交換器５１、５２が吸着した臭気分子を吸気とともに放出する可能性がある。したがって、調湿ユニット５の給気側に脱臭ユニット１を接続して、調湿ユニット５から給気される空気の脱臭を行うことは、室内に臭気分子を送り込むリスクを減らすという点で有効であるといえる。
【０１０６】
＜第二実施形態の変形例＞
第二実施形態に係る脱臭システム１００では、給気ユニットとして調湿ユニット５を利用しているが、これに限らず、給気ユニットとして全熱交換ユニットを利用し手も構わない。また、室内へ空気を供給する給気ファンを備える機器であれば、調湿ユニットに限らない。
【産業上の利用可能性】
【０１０７】
本発明によれば、寒冷地向け空気調和装置に有用である。
【図面の簡単な説明】
【０１０８】
【図１】第一実施形態に係る正面側から視た脱臭ユニットの本体ケーシングの外観斜視図。
【図２】脱臭ユニットの本体ケーシング内部の外観斜視図。
【図３】ストリーマ放電ユニットの分解斜視図。
【図４】脱臭ユニットの本体ケーシング内部の平面図および空気流路。
【図５】第二実施形態に係る脱臭システムの平面図。
【図６】正面側から視た調湿ユニットの本体ケーシングの外観斜視図。
【図７】調湿ユニットの除湿運転の第１動作における空気の流れおよび冷媒回路の状態を示す概略図。
【図８】調湿ユニットの除湿運転の第２動作における空気の流れおよび冷媒回路の状態を示す概略図。
【図９】調湿ユニットの加湿運転の第１動作における空気の流れおよび冷媒回路の状態を示す概略図。
【図１０】調湿ユニットの加湿運転の第２動作における空気の流れおよび冷媒回路の状態を示す概略図。
【符号の説明】
【０１０９】
１            脱臭ユニット
２            光触媒フィルタ（脱臭／集塵フィルタ）
３            ストリーマ放電ユニット（活性種生成部）
５            調湿ユニット（給気ユニット）
６            共有天井点検口（天井点検口）
１３          正面側パネル（略垂直な面）
１３ａ        メンテナンス開口
１３ｂ        メンテナンスカバー
１４          背面側パネル（略垂直な面）
１５          右側面パネル（面）
１５ａ        吸込開口（気体導入口）
１６          左側面パネル（面）
１６ａ        吐出開口（気体排出口）
１８          電装品ケーシング
８２          給気ファン（送風ファン）
１００        脱臭システム
Ａ１          矢印（回転方向）
Ａ２          矢印（回転方向）
Ｌ１          直線
【図１】
2010137017.tif 000003
【図２】
2010137017.tif 000004
【図３】
2010137017.tif 000005
【図４】
2010137017.tif 000006
【図５】
2010137017.tif 000007
【図６】
2010137017.tif 000008
【図７】
2010137017.tif 000009
【図８】
2010137017.tif 000010
【図９】
2010137017.tif 000011
【図１０】
2010137017.tif 000012